(57)【要約】【課題】単位床化粧材の端部をいずれの寸法幅で切断した場合も、端用床材を切断された単位床化粧材の端縁に沿うように、見栄えよく単位床化粧材に連結固定することができる端用床材を提供すること。【解決手段】床材本体と、この床材本体の下面から突出し、敷設される下地床面と前記床材本体との間に隙間を形成する多数の脚部を有する単位床化粧材の端部に取り付けられる端用床材であって、前記単位床化粧材側の端面に少なくとも１つの貫通孔を有する端用床材本体と、一側に前記単位床化粧材の脚部に固定される脚部固定部が設けられ、他側に前記貫通孔に前記端面側から挿入可能で、貫通孔に挿入されたときに前記単位床化粧材方向への抜けを抑止する抜け抑止手段を有する棒状または帯状をした長尺係止部が設けられた連結部材とを備えるようにした。【選択図】図３
2009243127.tif 000002
【特許請求の範囲】
【請求項１】
床材本体と、この床材本体の下面から突出し、敷設される下地床面と前記床材本体との間に隙間を形成する多数の脚部を有する単位床化粧材の端部に取り付けられる端用床材であって、
前記単位床化粧材側の端面に少なくとも１つの貫通孔を有する端用床材本体と、
一側に前記単位床化粧材の脚部に固定される脚部固定部が設けられ、他側に前記貫通孔に前記端面側から挿入可能で、貫通孔に挿入されたときに前記単位床化粧材方向への抜けを抑止する抜け抑止手段を有する棒状または帯状をした長尺係止部が設けられた連結部材とを備えていることを特徴とする端用床材。
【請求項２】
抜け抑止手段が、長尺係止部の長さ方向に所定ピッチで形成された鋸歯状列歯である請求項１記載の端用床材。
【請求項３】
脚部固定部が、脚部が嵌合する嵌合凹部を備えている請求項１または２に記載の端用床材。
【発明の詳細な説明】
【技術分野】
【０００１】
本発明は、ベランダやバルコニーのコンクリート床等の下地床面に敷設される単位床化粧材の端部に取り付けられる端用床材に関する。
【背景技術】
【０００２】
従来、バルコニー、ベランダ等の意匠性を上げる為に、下地床面となるコンクリート床面や防水シートの上に単位床化粧材を敷設することが行われている。
すなわち、単位床化粧材は、通常、正方形や長方形をしているとともに、雄連結部を一側縁に有し、この雄連結部と連結可能な形状の雌連結部を前記とは異なる側縁に有し、雄連結部を隣接して配置される別の単位床化粧材の雌連結部に次々に連結させることにより、下地床面の大きさ及び形状に応じて、必要な枚数の単位床化粧材を下地床面に敷き並べて、下地床面を覆い隠す化粧床面を形成できるようになっている。
【０００３】
しかし、敷設する床面の大きさは、単位床化粧材の整数倍になっているとは限らないため、単位床化粧材を連結した敷設面の端には、壁面などとの間に隙間が生じる場合がある。
このような場合、この隙間をそのまま放置すると、見栄えが悪いという問題や、この隙間から風が単位床化粧材の下側に入り込み、単位床化粧材がめくり上がってしまうという問題が生じる。
【０００４】
そこで、単位床化粧材の連結端部での見栄えをよくする、あるいは、耐風性能を向上させるために、単位床化粧材の雄嵌合部、雌嵌合部あるいは脚部に嵌合することによって、隙間側の最外縁の単位床化粧材に連結可能な雄嵌合部あるいは雌嵌合部を備えた、上記隙間に納まる寸法をしたスロープ材や耐風用端材等の端用床材（特許文献１〜特許文献３参照）が提案されている。
【０００５】
しかし、上記の端用床材を用いる場合においても、隙間の寸法が端用床材の寸法と一致しない場合があるため、寸法の異なる端用床材を用意したり、単位床化粧材の端用床材側の端部を所定の寸法幅で切断したりして、隙間の寸法に合わせる必要がある。
しかしながら、寸法の異なる端用床材を用いる場合には、施工現場において、隙間の寸法に適合する端用床材を選択する必要があり、作業に手間取る上、適合する端用床材が不足した場合には、作業がストップしてしまう危険性がある。
一方、単位床化粧材を切断する場合には、端用床材の雌嵌合部に嵌合可能な位置に、単位床化粧材の脚部が設けられていなければ、端用床材を単位床化粧材に連結することができないため、単位床化粧材の切断位置が制約されてしまう。
【０００６】
【特許文献１】実公平４−２７４２０号公報
【特許文献２】特開平１１−３０３３６６号公報
【特許文献３】特開２００３−５６１６６号公報
【発明の開示】
【発明が解決しようとする課題】
【０００７】
本発明は、上記問題点に鑑みてなされたものであって、単位床化粧材の端部をいずれの寸法幅で切断した場合も、端用床材を切断された単位床化粧材の端縁に沿うように、見栄えよく単位床化粧材に連結固定することができる端用床材を提供することを目的としている。
【課題を解決するための手段】
【０００８】
上記課題を解決するために、請求項１記載の発明は、床材本体と、この床材本体の下面から突出し、敷設される下地床面と前記床材本体との間に隙間を形成する多数の脚部を有する単位床化粧材の端部に取り付けられる端用床材であって、前記単位床化粧材側の端面に少なくとも１つの貫通孔を有する端用床材本体と、一側に前記単位床化粧材の脚部に固定される脚部固定部が設けられ、他側に前記貫通孔に前記端面側から挿入可能で、貫通孔に挿入されたときに前記単位床化粧材方向への抜けを抑止する抜け抑止手段を有する棒状または帯状をした長尺係止部が設けられた連結部材とを備えていることを特徴とする。
【０００９】
請求項２記載の発明は、請求項１記載の発明において、抜け抑止手段が、長尺係止部の長さ方向に所定ピッチで形成された鋸歯状列歯であることを特徴とする。
【００１０】
請求項３記載の発明は、請求項１または２記載の発明において、脚部固定部が、脚部が嵌合する嵌合凹部を備えていることを特徴とする。
【００１１】
本発明において、端用床材の材質としては、特に限定されるものではなく、例えば、合成樹脂、金属材料などが挙げられる。合成樹脂としては、例えば、ポリエチレン、ポリプロピレン、エチレン−プロピレン共重合体、エチレン−α−オレフィン共重合体、エチレン酢酸ビニル共重合体などオレフィン系樹脂、ポリ塩化ビニル系樹脂、スチレン−アクリロニトリル共重合体、スチレン−アクリロニトリル−ブタジエン三次元共重合体等のポリスチレン系樹脂などが挙げられるが、成型性、経済性などを考慮すると、オレフィン系樹脂が望ましい。
【発明の効果】
【００１２】
請求項１記載の発明は、床材本体と、この床材本体の下面から突出し、敷設される下地床面と前記床材本体との間に隙間を形成する多数の脚部を有する単位床化粧材の端部に取り付けられる端用床材であって、前記単位床化粧材側の端面に少なくとも１つの貫通孔を有する端用床材本体と、一側に前記単位床化粧材の脚部に固定される脚部固定部が設けられ、他側に前記貫通孔に前記端面側から挿入可能で、貫通孔に挿入されたときに前記単位床化粧材方向への抜けを抑止する抜け抑止手段を有する棒状または帯状をした長尺係止部が設けられた連結部材とを備えているので、単位床化粧材の端部をいずれの寸法幅で切断した場合でも、端用床材を単位床化粧材の端縁に沿わせて、見栄えよく単位床化粧材に連結固定することができる。すなわち、単位床化粧材の端部を任意の寸法幅で切断できるので、納まり調整の寸法に制約がない。
【００１３】
請求項２記載の発明は、請求項１記載の発明において、抜け抑止手段が、長尺係止部の長さ方向に所定ピッチで形成された鋸歯状列歯であるので、請求項１記載の発明の効果に加えて、単位床化粧材方向への抜けを効果的に抑止でき、しかも、長尺係止部の挿入長さを簡単かつ確実に調整することができる。
【００１４】
請求項３記載の発明は、請求項１または２記載の発明において、脚部固定部が、脚部が嵌合する嵌合凹部を備えているので、請求項１または２記載の発明の効果に加えて、脚部を嵌合凹部に嵌合させるだけで、簡単かつ確実に、脚部を脚部固定部に固定することができる。
【発明を実施するための最良の形態】
【００１５】
以下、本発明にかかる端用床材の一実施形態について、図面に基づいて詳細に説明する。
まず、本実施形態で用いられる単位床化粧材について説明する。
図１、図２に示すように、本実施形態の単位床化粧材Ａは、合成樹脂製で、略矩形状に形成された表面材Ｂと、表面材Ｂを設置面上に支持する合成樹脂製の枠体Ｃとを備えている。
枠体Ｃは、表面材Ｂを下方から受ける本体部Ｄと、本体部Ｄの下面から本体部Ｄの厚さ方向に突出する多数の脚部Ｊと、本体部Ｄの隣接する二辺に沿って設けられる複数の雄嵌合部Ｅと、本体部Ｄの残りの二辺に沿って設けられる複数の雌嵌合部Ｆとを備えており、表面材Ｂと本体部Ｄとを接着剤を介して一体化することにより、床材本体Ｇを構成している。
脚部Ｊのうち数個は、雌嵌合部Ｆと同一直線上に配置されている。また、脚部Ｊは、単位床化粧材Ａがベランダやバルコニーのコンクリート床面（以下、「下地床面」と記す）上に敷設されたときに、下地床面と本体部Ｄとの間に排水空間となる隙間を形成するようになっている。
そして、複数枚の単位床化粧材Ａを、雄嵌合部Ｅと雌嵌合部Ｆとの嵌合によって連結しながら下地床面上に敷き並べたときに、最も外側に位置する単位床化粧材Ａと建物壁面との間に、端用床材が入り込むだけの幅の隙間がない場合には、図２において二点鎖線で示すように、最も外側に位置する単位床化粧材Ａの端部を切り取って、幅調整用単位床化粧材Ａ１を形成して用いる。
【００１６】
本実施形態の端用床材１は、合成樹脂からなり、図３に示すように、端用床材本体２と連結部材３とから構成されている。
端用床材本体２は、図４に示すように、長手方向の寸法が、単位床化粧材Ａの一辺の長さと同じである平面視長方形をしており、一方の長辺とこの長辺に隣接する一方の短辺に沿って雌嵌合部２１が設けられている。長辺側の雌嵌合部２１は、単位床化粧材Ａの雄嵌合部Ｅと同じピッチで設けられている。
また、端用床材本体２の雌嵌合部２１側の側壁２０には、断面矩形をした貫通孔２３が、単位床化粧材Ａの脚部Ｊの間隔に合わせて、複数設けられている。
【００１７】
連結部材３は、図５〜図７に示すように、単位床化粧材の脚部に固定される脚部固定部４と、この脚部固定部４から一方向に延びる長尺係止部６とを備えている。
【００１８】
脚部固定部４は、略筒状で、単位床化粧材Ａの脚部Ｊが嵌合可能な嵌合凹部５を備えている。嵌合凹部５の内径は、脚部Ｊの外径と同じ径もしくは大径であれば構わないが、脚部Ｊを嵌合凹部５に弾性嵌着させて固定するためには、単位床化粧材Ａの脚部Ｊと同径であることが望ましい。
【００１９】
長尺係止部６は、板状の基部７と、基部７の上下面に長尺係止部６の長さ方向に形成された鋸歯状列歯８とから構成されている。
鋸歯状列歯８は、所定ピッチで設けられた多数の単位鋸歯９からなり、単位鋸歯９は、基部７の上下面から略垂直に立ち上がる係止壁部９１と、この係止壁部９１の先端から長尺係止部６の遊端側に下り勾配となる傾斜部９２とから構成されている。
【００２０】
端用床材本体２の単位床化粧材Ａ側の側壁２０の厚みｔが２ｍｍ〜３ｍｍの場合は、単位鋸歯９のピッチａは、５ｍｍ〜６ｍｍが好適である。また、単位鋸歯９の係止壁部９１の高さｂは、貫通孔２３内を通過中に破損しないように、２ｍｍ〜３ｍｍが好適である。
基部７の厚みＴは、所望の強度を有し、かつ嵩張らないように、１ｍｍ〜２ｍｍであることが好ましい。
鋸歯状列歯８の係止壁部９１の先端間の距離ｃは、貫通孔２３の上下寸法ｈよりも少し長くなっている。
長尺係止部６の設置面からの高さは、図８に示すように、端用床材本体２の貫通孔２３と同じ高さとなっている。
【００２１】
上記構成の端用床材１を幅調整用単位床化粧材Ａ１の端部に取り付けるには、図８に示すように、まず、連結部材の長尺係止部６を、幅調整用単位床化粧材Ａ１側から端用床材本体２の貫通孔２３に挿入し、鋸歯状列歯８を貫通孔２３の端縁２４に係止させる。
次に、端用床材１を幅調整用単位床化粧材Ａ１の切断端面Ｋ側に配置し、連結部材３の嵌合凹部５に幅調整用単位床化粧材Ａ１の脚部Ｊを嵌合させる。
そして、端用床材本体２を静止させた状態で、長尺係止部６の遊端部を挿入方向に引っ張る。すると、鋸歯状列歯８の弾性変形により長尺係止部６が貫通孔２３内を通過し、幅調整用単位床化粧材Ａ１の切断端面Ｋが端用床材本体２の側壁２０側に接近していき、調整用単位床化粧材Ａ１の切断端面Ｋが端用床材本体２の側壁２０に当接する。
長尺係止部６は、端用床材本体２の貫通孔２３に一旦挿入されると、挿入方向と反対方向には戻らないため、幅調整用単位床化粧材Ａ１の切断端面Ｋが端用床材本体２の側壁２０に当接した状態で保持される。
【００２２】
したがって、本実施形態の端用床材１によれば、脚部固定部４の嵌合凹部６に幅調整用単位床化粧材Ａ１の脚部Ｊを嵌合させた後、端用床材本体２を静止させた状態で、長尺係止部６の遊端部を挿入方向に引っ張るだけで、単位床化粧材Ａの端部をどのような寸法幅で切断した幅調整用単位床材Ａ１に対しても、端用床材１を幅調整用単位床化粧材Ａ１の端縁に沿わせて、見栄えよく幅調整用単位床化粧材Ａ１に連結固定することができ、しかも連結固定した状態を保持できる。すなわち、単位床化粧材Ａの端部を任意の寸法幅で切断でき、納まり調整の寸法に制約がない上、端用床材１の取り付け作業を簡素化できる。
【００２３】
また、長尺係止部６に鋸歯状列歯８が設けられているので、幅調整用単位床化粧材Ａ１方向への抜けを効果的に抑止でき、しかも、長尺係止部６の挿入長さを簡単かつ確実に調整することができる。
【００２４】
また、脚部固定部４に脚部Ｊを嵌合可能な嵌合凹部５が設けられているので、簡単かつ確実に、幅調整用単位床化粧材Ａ１の脚部Ｊを脚部固定部４に嵌着させることができる。
【００２５】
さらに、端用床材本体２は、連結部材３を介して、幅調整用単位床化粧材Ａ１に連結されており、幅調整用単位床化粧材Ａ１の切断端面Ｋに固定されていない。そのため、周囲温度が変化した場合には、幅調整用単位床化粧材Ａ１が、端用床材本体２とは独立して伸縮することができる。その上、連結部材が弾性変形して、幅調整用単位床化粧材Ａ１の熱伸縮を吸収するため、伸縮に伴う応力の発生を防止できる。
【００２６】
また、端用床材本体２は、長辺に沿って雌嵌合部２１が設けられているので、単位床化粧材Ａを切断しない場合には、単位床化粧材Ａの雄嵌合部Ｅに端用床材本体２の雌嵌合部２１を嵌合させることにより、端用床材本体２を端用床材として使用することもできる。
【００２７】
なお、幅調整用単位床化粧材Ａ１の脚部Ｊを嵌合凹部５に遊挿するとともに、長尺係止部６を端用床材本体２の貫通孔２３に幅方向に遊びを持たせた状態で挿入させる構成とした場合には、端用床材１の連結部材３の延長線上に幅調整用単位床化粧材Ａ１の脚部Ｊが配置されていなくても、幅調整用単位床化粧材Ａ１の脚部Ｊに嵌合させることができる。したがって、幅調整用単位床化粧材Ａ１の脚部Ｊの配置位置を自由に設計しやすい。
【００２８】
また、本発明の脚部固定部は、嵌合凹部５を備えたものに限られず、幅調整用単位床化粧材Ａ１の脚部Ｊを固定できればよい。したがって、例えば、図９に示すように、脚部Ｊを受ける板状部１１の上面に粘着剤層１０を備えたものであってもよい。また、図１０に示すように、脚部を受ける板状部１１と、板状部１１を脚部Ｊに固定するためのネジ１２とから構成されていてもよい。
【００２９】
また、本発明の抜け抑止手段は、鋸歯状列歯８に限られず、端用床材本体の貫通孔に所定の長さだけ挿入されたときに幅調整用単位床化粧材Ａ１方向への抜けを抑止できるものであればよい。したがって、図１１に示すように、球状係止部１３を所定ピッチで設けるとともに、端用床材本体２の側壁２０に、長尺係止部６の挿入方向下流側に向かって狭くなる貫通孔２５を設けて、隣り合う球状係止部１３を端用床材本体２の貫通孔２５を臨む端縁２４に係止させるようにしてもよい。球状係止部１３は、弾性変形により貫通孔２５内を通過可能な大きさであることが必要である。
【００３０】
さらに、本発明の貫通孔は、上記の貫通孔２３、２５の形状に限定されるものではなく、例えば、長尺係止部６の挿入方向上流側から側壁２０の厚さ方向中央部で一旦狭くなり、その後下流側に向かって再び広がる断面形状をしていても構わない。
【００３１】
また、上記実施形態では、貫通孔２３が、端用床材本体２の雌嵌合部２１側の側壁２０に、単位床化粧材Ａの脚部Ｊの間隔に合わせて複数設けられているが、貫通孔２３は少なくとも１個以上設けられていればよい。
【００３２】
また、本発明の端用床材本体は、上記実施形態に限られず、一方の長辺側から他方の長辺側に向かって下方傾斜するスロープ材であっても構わない。
【図面の簡単な説明】
【００３３】
【図１】本発明に用いられる単位床化粧材Ａの一例を示す斜視図である。
【図２】図１に示す単位床化粧材Ａの底面図である。
【図３】本発明の端用床材の第１の実施形態を示す側面図である。
【図４】本発明の端用床材本体の実施形態の要部を拡大して示す斜視図である。
【図５】本発明の連結部材の第１の実施形態を示す斜視図である。
【図６】図５に示す連結部材の正面図である。
【図７】図５に示す連結部材の側面図である。
【図８】本発明の第１の実施形態の端用床材を幅調整用単位床化粧材Ａ１に取り付ける様子を示す説明図である。
【図９】本発明の第２の実施形態の端用床材を幅調整用単位床化粧材Ａ１に取り付ける様子を示す説明図である。
【図１０】本発明の第３の実施形態の端用床材を幅調整用単位床化粧材Ａ１に取り付ける様子を示す説明図である。
【図１１】本発明の第４の実施形態の端用床材を幅調整用単位床化粧材Ａ１に取り付ける様子を示す説明図である。
【符号の説明】
【００３４】
１    端用床材
２    端用床材本体
２３  貫通孔
２５  貫通孔
３    連結部材
４    脚部固定部
５    嵌合凹部
６    長尺係止部
８    鋸歯状列歯（抜け抑止手段）
１３  球状係止部（抜け抑止手段）
Ａ    単位床化粧材
Ａ１  幅調整用単位床化粧材（単位床化粧材）
Ｇ    床材本体
Ｊ    脚部
【図１】
2009243127.tif 000003
【図２】
2009243127.tif 000004
【図３】
2009243127.tif 000005
【図４】
2009243127.tif 000006
【図５】
2009243127.tif 000007
【図６】
2009243127.tif 000008
【図７】
2009243127.tif 000009
【図８】
2009243127.tif 000010
【図９】
2009243127.tif 000011
【図１０】
2009243127.tif 000012
【図１１】
2009243127.tif 000013